(57)【要約】【課題】  本発明は、画像に含まれる撮像素子ノイズの除去を、確実、かつ高精度に、そして効率的に行うことのできる撮像装置を提供することを目的とする。【解決手段】  本発明の撮像装置（１８、１９、２１、２３〜２５、３０〜３３）は、撮像手段（１８、１９、２１、２３、３０、３１）と制御手段（２１）とを備える。撮像手段は、本撮影により本撮影画像を取得した後に、本撮影画像に含まれる撮像素子ノイズの除去に使用するダーク画像を取得する。そして制御手段は、撮像手段が、ダーク画像の取得を行う前／ダーク画像の取得中に、撮像手段により取得された本撮影画像をユーザーに確認させ、かつ、本撮影画像に対する処理をユーザーに指示させる画面を表示する。【選択図】  図１
2010021834.tif 000002
【特許請求の範囲】
【請求項１】
本撮影により本撮影画像を取得した後に、前記本撮影画像に含まれる撮像素子ノイズの除去に使用するダーク画像を取得する撮像手段と、
前記撮像手段が前記ダーク画像の取得を行う前に、前記撮像手段により取得された前記本撮影画像をユーザーに確認させ、かつ、前記本撮影画像に対する処理をユーザーに指示させる画面を表示する制御手段と
を備えることを特徴とする撮像装置。
【請求項２】
本撮影により本撮影画像を取得した後に、前記本撮影画像に含まれる撮像素子ノイズの除去に使用するダーク画像を取得する撮像手段と、
前記撮像手段が前記ダーク画像を取得中に、前記撮像手段により取得された前記本撮影画像をユーザーに確認させ、かつ、前記本撮影画像に対する処理をユーザーに指示させる画面を表示する制御手段と
を備えることを特徴とする撮像装置。
【請求項３】
請求項１または請求項２に記載の撮像装置において、
前記制御手段が表示する前記画面には、前記本撮影画像に対する処理の１つとして前記ノイズの除去を指示する項目が設けられ、
前記画面からユーザーが前記ノイズの除去を指示した場合、前記制御手段は、前記撮像手段により前記ダーク画像が取得された後に、該ダーク画像を使用して前記本撮影画像から前記ノイズを除去する
ことを特徴とする撮像装置。
【請求項４】
請求項１ないし請求項３の何れか一項に記載の撮像装置において、
前記制御手段が表示する前記画面には、前記本撮影画像に対する処理の１つとして前記本撮影画像の削除を指示する項目が設けられ、
前記画面からユーザーが前記本撮影画像の削除を指示した場合、前記制御手段は、前記本撮影画像を前記ノイズの除去を行うことなく強制的に削除する
ことを特徴とする撮像装置。
【請求項５】
請求項１ないし請求項４の何れか一項に記載の撮像装置において、
画像を記憶する記憶手段を更に備え、
前記制御手段が表示する前記画面には、前記本撮影画像に対する処理の１つとして前記本撮影画像の保存を指示する項目が設けられ、
前記画面からユーザーが前記本撮影画像の保存を指示した場合、前記制御手段は、前記本撮影画像を前記ノイズの除去を行うことなく前記記憶手段へ記録する
ことを特徴とする撮像装置。
【発明の詳細な説明】
【技術分野】
【０００１】
本発明は、電子カメラなどに搭載され、撮影された画像に含まれる撮像素子のノイズを除去し得る撮像装置に関する。
【背景技術】
【０００２】
撮像素子を用いて撮影を行う電子カメラなどでは、撮像素子により発生するノイズ（以下、撮像素子ノイズまたは、単に、ノイズと呼ぶ。）が撮影された画像に含まれてしまうことが知られている。このため、良好な画像を得るには、撮影された画像から撮像素子ノイズを除去する必要がある。
【０００３】
画像から撮像素子ノイズを除去する最も一般的な手法として、例えば、図７に示す処理が知られている。
【０００４】
ここで、図７の流れ図の処理を簡単に説明すると、ステップ３０１〜３０３において、本撮影により本撮影画像を取得した直後にシャッタを閉じたまま撮影を行って撮像素子ノイズのみが含まれるダーク画像を取得する。そして、ステップ３０４において、本撮影画像の画像信号からダーク画像の画像信号を減算することにより本撮影画像から撮像素子ノイズを除去する。また、このようにして撮像素子ノイズを除去した本撮影画像を、ステップ３０５において保存すると共に、ステップ３０６および３０７において撮影者等のユーザーに確認させる。
【０００５】
ところで、図７の手法においては、本撮影画像を取得した直後に、ダーク画像の取得が行われるため、次の本撮影が行えるようになるまでの待ち時間がダーク画像の取得のために長くなってしまう。
【０００６】
この点を考慮した従来技術として、例えば、特許文献１には、撮影時に、撮影により取得した画像とその撮影条件とを関連付けて記録しておく。そして、撮影後、手動操作によって撮像素子ノイズの除去動作が開始されたときに、撮影時に記録された撮影条件に基づきダーク画像を取得して、当該撮影条件に関連付けられた画像から撮像素子ノイズを除去するという手法が開示されている。
【特許文献１】特開２００７−８８７７８号公報
【発明の開示】
【発明が解決しようとする課題】
【０００７】
この特許文献１の従来技術では、撮影時にはダーク画像の取得が行われないので、次の撮影が行えるようになるまでの待ち時間がダーク画像の取得のために長くなることはない。
【０００８】
しかしながら、この従来技術では、画像から撮像素子ノイズを除去するには、撮影後に、別途、手動操作によってその除去動作を開始させる必要がある。また除去動作を開始させると、撮像素子ノイズの発生具合などの画像の撮影状態がどのような場合にも撮像素子ノイズの除去処理が必ず行われる。これらのために、この従来技術では、撮像素子ノイズの除去を効率良く行うことはできなかった。
【０００９】
さらに、この従来技術では、ユーザーが、撮像素子ノイズの除去処理を実施することを忘れるなどして当該操作を行わない場合には、結局、画像の撮像素子ノイズは除去されない。つまり、良好な画像を確実に得ることはできなかった。
【００１０】
また、撮像素子ノイズの一つである、例えば、暗電流ノイズは、その発生量が撮像素子の温度に依存する。従って、撮像素子ノイズを高精度に除去するためには、画像の撮影とダーク画像の取得とを、同じ環境および条件の下で行う必要がある。
【００１１】
本発明は、上記従来技術の課題を解決するためのものである。本発明は、画像に含まれる撮像素子ノイズの除去を、確実、かつ高精度に、そして効率的に行うことのできる撮像装置を提供することを目的とする。
【課題を解決するための手段】
【００１２】
第１の発明の撮像装置は、撮像手段と制御手段とを備える。撮像手段は、本撮影により本撮影画像を取得した後に、本撮影画像に含まれる撮像素子ノイズの除去に使用するダーク画像を取得する。そして制御手段は、撮像手段がダーク画像の取得を行う前に、撮像手段により取得された本撮影画像をユーザーに確認させ、かつ、本撮影画像に対する処理をユーザーに指示させる画面を表示する。
【００１３】
第２の発明の撮像装置は、撮像手段と制御手段とを備える。撮像手段は、本撮影により本撮影画像を取得した後に、本撮影画像に含まれる撮像素子ノイズの除去に使用するダーク画像を取得する。そして制御手段は、撮像手段がダーク画像を取得中に、撮像手段により取得された本撮影画像をユーザーに確認させ、かつ、本撮影画像に対する処理をユーザーに指示させる画面を表示する。
【００１４】
第３の発明は、第１または第２の発明において、制御手段が表示する画面には、本撮影画像に対する処理の１つとして撮像素子ノイズの除去を指示する項目が設けられ、前記画面からユーザーが撮像素子ノイズの除去を指示した場合、制御手段は、撮像手段によりダーク画像が取得された後に、該ダーク画像を使用して本撮影画像から撮像素子ノイズを除去する。
【００１５】
第４の発明は、第１ないし第３の発明の何れか一の発明において、制御手段が表示する画面には、本撮影画像に対する処理の１つとして本撮影画像の削除を指示する項目が設けられ、前記画面からユーザーが本撮影画像の削除を指示した場合、制御手段は、本撮影画像を撮像素子ノイズの除去を行うことなく強制的に削除する。
【００１６】
第５の発明は、第１ないし第４の発明の何れか一の発明において、画像を記憶する記憶手段を更に備え、制御手段が表示する画面には、本撮影画像に対する処理の１つとして本撮影画像の保存を指示する項目が設けられ、前記画面からユーザーが本撮影画像の保存を指示した場合、制御手段は、本撮影画像を撮像素子ノイズの除去を行うことなく記憶手段へ記録する。
【発明の効果】
【００１７】
本発明では、本撮影画像の撮像素子ノイズを除去する動作において、本撮影により本撮影画像を取得した後に、撮像素子ノイズの除去に使用するダーク画像を取得するとの順に動作を行うとき、ダーク画像の取得を行う前、又はダーク画像を取得中に、本撮影画像をユーザーに確認させ、かつ本撮影画像に対する処理をユーザーに指示させる画面を表示する。
【００１８】
従って、本発明を利用すれば、画像に含まれる撮像素子ノイズの除去を、確実、かつ高精度に、そして効率的に行うことができる。
【発明を実施するための最良の形態】
【００１９】
（第１実施形態）
以下、本発明の第１実施形態を説明する。第１実施形態は、一眼レフレックス型電子カメラの実施形態である。
【００２０】
図１は、第１実施形態の電子カメラの構成図である。電子カメラは、カメラ本体１と、撮影光学系を収容したレンズユニット２とを有している。
【００２１】
カメラ本体１およびレンズユニット２には、雄雌の関係をなす一対のマウント９，１０がそれぞれ設けられている。レンズユニット２側のマウント９をバヨネット機構等でカメラ本体１側のマウント１０に結合することで、レンズユニット２はカメラ本体１に対して交換可能に装着される。また、上記のマウント９，１０にはそれぞれ電気接点１１が設けられている。カメラ本体１とレンズユニット２との結合時には、電気接点１１間の接触で両者の電気的な接続が確立するようになっている。
【００２２】
先ず、レンズユニット２の構成を説明する。レンズユニット２は、撮影レンズ３と、レンズ駆動部４と、距離検出部５と、絞り制御部６と、絞り７と、レンズ側マイコン８とを有している。なお、レンズ駆動部４、距離検出部５、絞り制御部６は、それぞれレンズ側マイコン８に接続されている。
【００２３】
撮影レンズ３は、フォーカスレンズやズームレンズを含む複数のレンズ群で構成されている。なお、簡単のため、図１では撮影レンズ３を１枚のレンズとして図示している。
【００２４】
レンズ駆動部４は、レンズ側マイコン８の指示に応じてレンズ駆動信号を発生し、撮影レンズ３を光軸方向に移動させてフォーカス調整やズーム調整を行うと共に、移動させた撮影レンズ３の位置の情報をレンズ側マイコン８および距離検出部５に出力する。なお、レンズ駆動部４がカメラ本体１側に内蔵される構成である場合は、レンズ側マイコン８の代わりに、カメラ側マイコン２１がレンズ駆動部４を制御する。
【００２５】
距離検出部５は、撮影レンズ３の光軸方向の位置の情報を基に被写体までの距離を検出すると共に、その検出した情報をレンズ側マイコン８に出力する。
【００２６】
絞り７は、カメラ本体１への入射光量を絞り羽根の開閉で調整する。
【００２７】
絞り制御部６は、絞り７の開口度をレンズ側マイコン８の指示に応じて制御する。なお、絞り制御部６がカメラ本体１側に内蔵される構成である場合は、レンズ側マイコン８の代わりに、カメラ側マイコン２１が絞り制御部６を制御する。
【００２８】
レンズ側マイコン８は、マウント９の電気接点１１を介してカメラ本体１のカメラ側マイコン２１との通信を行うと共に、レンズユニット２での各種制御を実行する。また、レンズ側マイコン８は、レンズユニット２のＲＯＭ（不図示）に記録されたレンズ情報（レンズの焦点距離や明るさ（開放Ｆ値）等の情報）などをカメラ本体１に送信する。
【００２９】
次に、カメラ本体１の構成を説明する。カメラ本体１は、クイックリターンミラー１２と、ファインダ光学系（１３〜１５）と、測光用再結像レンズ１６と、測光用画像取得部１７と、撮像部１８と、メカニカルシャッタ１９と、サブミラー２０と、カメラ回路（２１〜３２）とを有している。
【００３０】
クイックリターンミラー１２、メカニカルシャッタ１９および撮像部１８は、撮影光学系の光軸に沿って配置される。サブミラー２０は、クイックリターンミラー１２の後方に配置される。また、ファインダ光学系（１３〜１５）、測光用再結像レンズ１６、測光用画像取得部１７は、カメラ本体１の上部に配置されている。
【００３１】
クイックリターンミラー１２は、不図示の回動軸によって回動可能に軸支されており、観察状態と退避状態とを切り替え可能となっている。
【００３２】
観察状態のクイックリターンミラー１２は、メカニカルシャッタ１９および撮像部１８の前方で傾斜配置される。この観察状態のクイックリターンミラー１２は、撮影光学系を通過した光束を上方へ反射してファインダ光学系（１３〜１５）に導く。また、クイックリターンミラー１２の中央部はハーフミラーとなっており、クイックリターンミラー１２を透過した一部の光束は、焦点検出のため、サブミラー２０によって下方に屈折されてカメラ本体１の下部に導かれる。
【００３３】
一方、退避状態のクイックリターンミラー１２は、サブミラー２０と共に上方に跳ね上げられて撮影光路から外れた位置にある。クイックリターンミラー１２が退避状態にあるときは、撮影光学系を通過した光束がメカニカルシャッタ１９および撮像部１８に導かれる。
【００３４】
なお、クイックリターンミラー１４は、本撮影の開始時点においては観察状態にされている。
【００３５】
ファインダ光学系（１３〜１５）は、拡散スクリーン（焦点板）１３と、ペンタプリズム１４と、接眼レンズ１５とを有している。このうち、ペンタプリズム１４はカメラ本体１上部の突状部位置に収納されている。
【００３６】
拡散スクリーン１３は、クイックリターンミラー１２の上方に位置し、観察状態のクイックリターンミラー１２により反射された光束が一旦結像する。拡散スクリーン１３上で結像した光束は、ペンタプリズム１４の内部で反射されて、ペンタプリズム１４の入射面に対して９０度の角度を有する射出面に導かれる。そして、ペンタプリズム１４の射出面からの光束は、接眼レンズ１５を介してユーザーの目に到達するようになっている。
【００３７】
測光用再結像レンズ１６および測光用画像取得部１７はペンタプリズム１４の近傍に配置されている。測光用再結像レンズ１６は拡散スクリーン１３で結像した光束の一部を再結像し、測光用画像取得部１７はその再結像により受光面に形成されたファインダ像を光電変換して測光用画像のアナログ画像信号を生成する。なお、測光用画像取得部１７は、ＣＣＤエリアセンサやＣＭＯＳエリアセンサから成るイメージセンサを有している。
【００３８】
撮像部１８は、ＣＣＤエリアセンサやＣＭＯＳエリアセンサなどの撮像素子であり、記録用の画像である本撮影画像を生成する。この撮像部１８は、クイックリターンミラー１２が退避状態であるときに撮像面に形成される被写体像を光電変換して本撮影画像のアナログ画像信号を生成する。
【００３９】
メカニカルシャッタ１９は、その開閉を制御することにより、撮像部１８の露光時間を調整する。なお、撮像部１８の露光時間は、メカニカルシャッタ１９の開放時間と撮像部１８の電荷蓄積時間との組み合わせにより決定される。
【００４０】
カメラ回路（２１〜３２）は、カメラ側マイコン２１と、焦点検出部２２と、シャッタ制御部２３と、ＲＯＭ２４と、ＲＡＭ２５と、記録インターフェース（記録Ｉ／Ｆ）２６と、Ａ／Ｄ変換部２７と、撮像素子駆動部２８と、画像処理部２９と、Ａ／Ｄ変換部３０と、撮像素子駆動部３１と、モニタ３２とから構成される。なお、これらの構成要素は、システムバス３３を介して接続されている。また、Ａ／Ｄ変換部２７および撮像素子駆動部２８は測光用画像取得部１７と、Ａ／Ｄ変換部３０および撮像素子駆動部３１は撮像部１８とそれぞれ接続されている。
【００４１】
焦点検出部２２は、カメラ本体１の下部に配置され、サブミラー２０によって導かれた光束からセパレータレンズ（不図示）により２つの被写体像を生成し、その像間隔をラインセンサ（不図示）で計測して、ピントのズレ量を各々のＡＦエリア毎に検出する（いわゆる位相差検出方式）。そして、焦点検出部２２は検出したピントのズレ量（デフォーカス量）の情報をカメラ側マイコン２１に出力する。
【００４２】
シャッタ制御部２３は、カメラ側マイコン２１の指示に応じて、撮影時のメカニカルシャッタ１９の開閉制御を行う。
【００４３】
撮像素子駆動部２８は、カメラ側マイコン２１の指示に基づき、測光用画像取得部１７を駆動させて測光用画像のアナログ画像信号を生成させる。
【００４４】
Ａ／Ｄ変換部２７は、カメラ側マイコン２１の指示に基づき、測光用画像取得部１７が生成した測光用画像のアナログ画像信号に対し、ＣＤＳ（相関二重サンプリング）、ゲイン調整、Ａ／Ｄ変換などのアナログ信号処理を施すと共に、その処理後の測光用画像のデータをＲＡＭ２５に出力する。
【００４５】
撮像素子駆動部３１は、カメラ側マイコン２１の指示に基づき、撮像部１８を駆動させて本撮影画像のアナログ画像信号を生成させる。
【００４６】
Ａ／Ｄ変換部３０は、カメラ側マイコン２１の指示に基づき、撮像部１８が生成した本撮影画像のアナログ画像信号に対し、ＣＤＳ（相関二重サンプリング）、ゲイン調整、Ａ／Ｄ変換などのアナログ信号処理を施すと共に、その処理後の本撮影画像のデータをＲＡＭ２５に出力する。また、Ａ／Ｄ変換部３０は、カメラ側マイコン２１の指示に基づいてゲイン調整の調整量を設定し、それによってＩＳＯ感度に相当する撮影感度の調整を行う。
【００４７】
画像処理部２９は、カメラ側マイコン２１の指示に応じて、ＲＡＭ２５の本撮影画像に対し、ホワイトバランス調整、色分離（補間）、輪郭強調、ガンマ補正などの画像処理を施す。なお、画像処理部２９は、ＡＳＩＣなどとして構成される。
【００４８】
また、画像処理部２９は、カメラ側マイコン２１の指示に応じて、本撮影画像などの解像度変換（画素数変換）処理を行う。解像度変換処理は、モニタ３２に本撮影画像などの画像を表示させる場合等に必要な処理である。
【００４９】
ＲＡＭ２５は、Ａ／Ｄ変換部２７から出力される測光用画像のデータやＡ／Ｄ変換部３０から出力される本撮影画像のデータ、また、カメラ側マイコン２１が実行する各種の処理によって使用および生成されるデータなどを一時的に記憶する。
【００５０】
記録Ｉ／Ｆ２６には、記憶媒体３４を接続するためのコネクタが形成されている。記録Ｉ／Ｆ２６は、そのコネクタに接続された記憶媒体３４にアクセスして、本撮影画像のデータの書き込みや読み出しを行う。
【００５１】
カメラ側マイコン２１は、不図示の圧縮／復号部またはカメラ側マイコン２１自身によって圧縮処理が施された本撮影画像のデータを、記録Ｉ／Ｆ２６を介して記憶媒体３４へ記録する。但し、ユーザーがカメラの設定により非圧縮記録モードを有効にした場合には、カメラ側マイコン２１は、本撮影画像のデータを、非圧縮のまま、記録Ｉ／Ｆ２６を介して記憶媒体３４へ記録する。
【００５２】
なお、記憶媒体３４は、半導体メモリを内蔵したメモリカードや、小型のハードディスクなどである。また、圧縮処理は、ＪＰＥＧ（Joint Photographic Experts Group）形式などによって行われる。
【００５３】
ＲＯＭ２４は、カメラ側マイコン２１が実行する各種プログラム及びその実行に必要となる各種データ等を格納する。
【００５４】
モニタ３２は、電子カメラ筐体の背面などに設けられたＬＣＤモニタや、接眼部を備えた電子ファインダなどである。モニタ３２は、カメラ側マイコン２１の指示に応じて、本撮影画像などの各種の画像や、電子カメラが必要とする情報をユーザーに入力させるＧＵＩ画面等を表示する。
【００５５】
カメラ側マイコン２１は、ユーザーが不図示の操作部材を操作した内容に応じて、電子カメラの各部を統括制御する。例えば、ユーザーがレリーズ釦を半押しすると、カメラ側マイコン２１は、レンズユニット２のレンズ駆動部４、距離検出部５、絞り制御部６を駆動させるようにレンズ側マイコン８との通信を行うと共に、システムバス３３を介して焦点検出部２２、撮像素子駆動部２８、Ａ／Ｄ変換部２７を駆動させて焦点検出および測光を開始する。
【００５６】
このとき、レンズユニット２を通過した被写界からの光束は、クイックリターンミラー１２で上方へ反射し、拡散スクリーン１３、ペンタプリズム１４、測光用再結像レンズ１６を介して測光用画像取得部１７に入射して、その受光面に被写体の像であるファインダ像を形成する。また、レンズユニット２を通過した被写界からの光束の一部は、ハーフミラーとなっているクイックリターンミラー１２の中央部を透過すると、サブミラー２０で下方に屈折されてカメラ本体１下部の焦点検出部２２に導かれる。
【００５７】
焦点検出部２２は、サブミラーにより導かれた被写界からの光束を基にデフォーカス量を各々のＡＦエリア毎に検出し、その検出した情報をカメラ側マイコン２１にシステムバス３３を介して出力する。カメラ側マイコン２１は、そのデフォーカス量の情報を基に、ＡＦエリアの合焦が判定されるまでレンズ駆動部４と協働して撮影レンズ３の自動焦点調節（ＡＦ）を行う。
【００５８】
また、撮像素子駆動部２８を介して駆動された測光用画像取得部１７は、その受光面に形成されたファインダ像を光電変換して測光用画像のアナログ画像信号を生成する。そして、Ａ／Ｄ変換部２７は、生成された画像信号にアナログ信号処理を施して、その処理後の測光用画像のデータをＲＡＭ２５に出力する。カメラ側マイコン２１は、そのＲＡＭ２５の測光用画像のデータを基に算出した評価値に基づき撮影条件（ストロボ発光の有無、絞り値、シャッター速度など）を決定する。なお、評価値は、被写体や撮影シーン全体の明るさや撮影シーンの明るさ分布を示す値である。評価値の算出は、多分割測光（マルチパターン測光）、中央部重点測光、スポット測光などの公知の測光方式によって行われる。また、ここでは、自動露出により撮影条件（ストロボ発光の有無、絞り値、シャッター速度など）を決定することとしたが、撮影条件については、ユーザーが電子カメラを手動で操作して設定するようにしてもよい。
【００５９】
ユーザーがレリーズ釦を全押しすると、カメラ側マイコン２１は、自動露出により決定、またはユーザーにより設定された撮影条件の下で本撮影を実施する。
【００６０】
具体的には、カメラ側マイコン２１は、レンズ側マイコン８を通じて絞り制御部６を駆動させ、また観察状態のクイックリターンミラー１２を跳ね上げて退避状態とし、そしてシャッタ制御部２３、撮像素子駆動部３１、Ａ／Ｄ変換部３０を駆動させて本撮影画像を撮影する。このとき、撮像素子駆動部３１を介して駆動された撮像部１８が、その撮像面に形成された被写体像を光電変換して本撮影画像のアナログ画像信号を生成する。そして、Ａ／Ｄ変換部３０が、生成された画像信号にアナログ信号処理を施して、その処理後の本撮影画像のデータをＲＡＭ２５に出力する。このように、撮影された本撮影画像は、ＲＡＭ２５に記録される。
【００６１】
本撮影が終了すると、カメラ側マイコン２１は、クイックリターンミラー１２を再び観察状態に戻す。
【００６２】
次に、カメラ側マイコン２１は、画像処理部２９を駆動させ、ＲＡＭ２５の本撮影画像に対して画像処理を施す。そして、カメラ側マイコン２１は、その画像処理後の本撮影画像に圧縮処理を施すと共に、その圧縮した画像を、記録Ｉ／Ｆ２６を介して記憶媒体３４へ記録する。但し、ユーザーがカメラの設定により非圧縮記録モードを有効にした場合には、カメラ側マイコン２１は、画像処理後の本撮影画像を、非圧縮のまま、記録Ｉ／Ｆ２６を介して記憶媒体３４へ記録する。
【００６３】
なお、レリーズ釦が一気に全押しされた場合には、カメラ側マイコン２１は、上述したレリーズ釦が半押しされたときの動作と全押しされたときの動作を一度に続けて行う。
【００６４】
以下、第１実施形態の電子カメラにおける撮像素子ノイズの除去処理の動作を、図２の流れ図を参照して説明する。図２のフローチャートは、例えば、ユーザーが電子カメラのモードを「撮像素子ノイズ除去モード」に設定して撮影を行った場合に実行される。
【００６５】
ステップ１０１：カメラ側マイコン２１は、ユーザーによりレリーズ釦が全押しされたか否かを判定し、全押しされた場合は本撮影を行うためにステップ１０２へ移行する（Ｙｅｓ側）。一方、全押しされていない場合には、カメラ側マイコン２１は本ステップ１０１の処理を繰り返す（Ｎｏ側）。
【００６６】
ステップ１０２：カメラ側マイコン２１は、自動露出により決定またはユーザーにより設定された撮影条件（ストロボ発光の有無、絞り値、シャッター速度など）の下で本撮影を実施する。なお、本撮影により取得された本撮影画像は、ＲＡＭ２５に記録される。
【００６７】
ステップ１０３：カメラ側マイコン２１は、モニタ３２を駆動して、「画像確認／処理指示画面」をＬＣＤモニタ等に表示する。
【００６８】
ここで、この「画像確認／処理指示画面」について説明する。
【００６９】
「画像確認／処理指示画面」は、本撮影により取得された本撮影画像について、撮像素子ノイズの発生具合、構図、ピントの具合、ブレの有／無などの撮影状態をユーザーに確認させると共に、本撮影画像に対して行う今後の処理をユーザーに指示させるための画面である。画面イメージの一例を図３に示す。
【００７０】
図３の画面イメージ例では、本撮影画像の内容を表示するためのエリアが画面の上部に設けられている。また、同エリアには、その右下の部分に、画像操作用の３つのアイコン（アイコン４１、４２、４３）が本撮影画像の内容に重畳させて表示されている。このうちアイコン４１は、同エリアに表示された画像を拡大表示させる指示を行うためのものであり、アイコン４２は、縮小表示させる指示を行うためのものである。そして、アイコン４３は、同エリアの画像を上、下、左、右の各方向にスクロールさせる指示を行うためのものである。
【００７１】
ユーザーは、これら３つのアイコンを操作して、本撮影画像の撮影状態を詳細に確認することができる。
【００７２】
ここで、アイコンの操作方法の具体例を説明する。ここでは、例えば、図４に示す電子カメラ筐体の背面に設けられた各種の操作釦のうち、マルチセレクターを使用して、アイコン４１、４２、４３の操作が行えるものとする。
【００７３】
表示の初期状態において、「画像確認／処理指示画面」の上部エリアには、カメラ側マイコン２１が本撮影画像を基に作成した表示用の画像が表示される。この表示用の画像は、本撮影画像を、モニタ３２の表示解像度に合わせて、例えばＶＧＡ（６４０×４８０ピクセル）サイズに縮小した画像である。なお、この画像は、カメラ側マイコン２１が、本撮影画像を基に、画像処理部２９に解像度変換（画素数変換）処理を行わせることによって作成される。
【００７４】
先ず、上部エリアに表示された画像を拡大表示する場合、ユーザーは、図４のマルチセレクターの左ボタンまたは右ボタンを操作して、３つのアイコンのうちアイコン４１を選択する。このとき、カメラ側マイコン２１は、例えば、アイコンが選択されたことを示す枠（選択枠）をユーザーのボタン操作に応じて左または右に移動させると共に、アイコン４１、４２、４３のいずれかのアイコンの外周部分に表示する。この選択枠の表示により、ユーザーはアイコン４１の選択を確認することができる。
【００７５】
このようにアイコン４１を選択した後、ユーザーは、マルチセレクターのＯＫボタンを一回押下して、上部エリアの画像を拡大表示させる指示を行う。このとき、カメラ側マイコン２１は、その拡大表示の指示により、本撮影画像を基に、画像処理部２９に解像度変換処理を行わせて、サイズを一段階拡大した画像、例えばＳＶＧＡ（８００×６００ピクセル）サイズの画像を作成する。そして、カメラ側マイコン２１は、モニタ３２を駆動して、作成した画像を上部エリアに表示する。
【００７６】
なお、画像をもう一段階拡大させたい場合は、ユーザーは、マルチセレクターのＯＫボタンをもう一回押下する。ＯＫボタンを押下するほど、より拡大された画像が表示される。但し、拡大できるのは、電子カメラで撮影可能な最大の画像サイズ（画像解像度）迄である。
【００７７】
また、画像を拡大表示すると、ＬＣＤモニタ画面には、画像の一部分だけが表示されることとなる。このため、同じ拡大倍率のままで、画像の表示されていない部分を確認したい場合、ユーザーは、アイコン４３を操作して画像をスクロールさせる必要がある。アイコン４３の操作方法については後述する。
【００７８】
次に、上部エリアに表示された画像を縮小表示する場合、ユーザーは、拡大表示のときと同様に、図４のマルチセレクターの左ボタンまたは右ボタンを操作して、３つのアイコンのうちアイコン４２を選択する。
【００７９】
アイコン４２を選択した後、ユーザーは、マルチセレクターのＯＫボタンを一回押下して、上部エリアの画像を縮小表示させる指示を行う。このとき、カメラ側マイコン２１は、その縮小表示の指示により、本撮影画像を基に、画像処理部２９に解像度変換処理を行わせて、サイズを一段階縮小した画像を作成する。そして、カメラ側マイコン２１は、モニタ３２を駆動して、作成した画像を上部エリアに表示する。
【００８０】
なお、画像をもう一段階縮小させたい場合は、ユーザーは、マルチセレクターのＯＫボタンをもう一回押下する。ＯＫボタンを押下するほど、より縮小された画像が表示される。但し、縮小できるのは、表示の初期状態において作成される表示用画像の画像サイズ（画像解像度）、即ち、モニタ３２の表示解像度（サイズ）迄である。
【００８１】
ところで、上記では、ユーザーが画像の拡大表示または縮小表示の指示を行ったときに、カメラ側マイコン２１が、本撮影画像を基に、サイズを一段階拡大または縮小した画像を作成すると説明した。しかし、以前に行われた拡大表示または縮小表示の指示により、今回の指示で作成しようとする画像と同じサイズ（解像度）の画像が既に作成されている場合、カメラ側マイコン２１は、画像を作成せずに、既存の画像をそのまま使用してＬＣＤモニタ等に表示するとよい。そうすれば、画像作成のための処理負荷が軽減でき、また、当該画像を迅速に表示できる。
【００８２】
次に、上部エリアに表示された画像をスクロールさせる場合、ユーザーは、図４のマルチセレクターの左ボタンまたは右ボタンを操作して、３つのアイコンのうちアイコン４３を選択する。
【００８３】
アイコン４３を選択した後、ユーザーは、マルチセレクターのＯＫボタンを一回押下する。このとき、カメラ側マイコン２１は、そのＯＫボタンの押下により、動作モードをスクロールモードに設定すると共に、当該モードであることをユーザーに知らせるため、例えば、上部エリア内に表示されたアイコン４３に「ｓｃｒｏｌｌ−ｏｎ」とのような文字を表示する。但し、画像の拡大表示が行われていない場合には、ＯＫボタンが押下されても、カメラ側マイコン２１は動作モードをスクロールモードに設定することはない。
【００８４】
スクロールモードにおいて、ユーザーは、図４のマルチセレクターの上、下、左、右の各ボタンを使用して、上部エリアに表示された画像を所望する方向にスクロールさせることができる。ユーザーが、上、下、左、右のいずれかのボタンを押下した場合、カメラ側マイコン２１は、押下されたボタンに対応した方向に画像をスクロールする。
【００８５】
具体的には、ユーザーがマルチセレクターの上ボタンを一回押下した場合、カメラ側マイコン２１は、上部エリアに表示された画像を予め定められた画素（ピクセル）分だけ下側に移動する。この移動（スクロール）により、未だ表示されていなかった画像の上側の部分が同エリア内に表示されることとなる。一方、下ボタンが一回押下された場合、カメラ側マイコン２１は、画像を予め定められた画素（ピクセル）分だけ上側に移動するので、未だ表示されていなかった画像の下側の部分が同エリア内に表示される。
【００８６】
また、ユーザーがマルチセレクターの左ボタンを一回押下した場合、カメラ側マイコン２１は、画面の上部エリアに表示された画像を予め定められた画素（ピクセル）分だけ右側に移動する。この移動（スクロール）により、未だ表示されていなかった画像の左側の部分が同エリア内に表示されることとなる。一方、右ボタンが一回押下された場合、カメラ側マイコン２１は、画像を予め定められた画素（ピクセル）分だけ左側に移動するので、未だ表示されていなかった画像の右側の部分が同エリア内に表示される。
【００８７】
なお、ユーザーが、マルチセレクターの上、下、左、右のいずれかのボタンを押し続けた場合、カメラ側マイコン２１は、押されたボタンに対応する上記の画像のスクロール動作を繰り返して行う。但し、画像の端までスクロールが行われると、カメラ側マイコン２１は、当該スクロール動作を停止する。
【００８８】
スクロールモードにおいて、図４のマルチセレクターのＯＫボタンを一回押下すると、ユーザーは、同モードを解除することができる。そうした場合、カメラ側マイコン２１が、例えば、上部エリア内に表示されたアイコン４３から上記の「ｓｃｒｏｌｌ−ｏｎ」の文字を消去するので、これにより、ユーザーは、スクロールモードが解除されたことを知ることができる。このようにスクロールモードを解除すると、ユーザーは、再び、上記のように、マルチセレクターの左ボタンまたは右ボタンの操作により３つのアイコンのいずれかを選択できるようになる。
【００８９】
上記のように、３つのアイコンを操作して上部エリアに表示された画像を詳細に確認することで本撮影画像の撮影状態を確認すると、ユーザーは、次に、本撮影画像に対して行う今後の処理を電子カメラに指示する。
【００９０】
具体的には、ユーザーは、本撮影画像に対して行う処理を「画像確認／処理指示画面」の下部に設けられた処理項目から選択する共に、選択した処理の実施の指示を、例えば、電子カメラに設けられた当該処理に対応した特定の操作ボタンを操作することにより行う。
【００９１】
図３の画面イメージ例では、画面の下部に、「ノイズ除去処理実施」と、「本撮影画像保存」と、「本撮影画像削除」との３種類の処理が処理項目として表示されている。
【００９２】
この例において、「ノイズ除去処理実施」を選択してその処理を電子カメラに指示するには、例えば、ユーザーは、図４に示す電子カメラのＡボタンを押下する。
【００９３】
また、ユーザーは、「本撮影画像保存」を選択してその処理を電子カメラに指示するには、例えば図４に示す電子カメラのＢボタンを、そして、「本撮影画像削除」を選択してその処理を電子カメラに指示するには、例えば図４に示す電子カメラのＣボタンを押下する。
【００９４】
なお、本撮影画像の撮影状態を上記のようにして確認し、構図やピントの具合やブレの有／無などについては問題が無かったか又は許容できたが、撮像素子ノイズが許容できないくらい発生していたとする。その場合、ユーザーは、「ノイズ除去処理実施」を選択して、その処理を電子カメラに指示する。また、本撮影画像の撮影状態を上記のようにして確認し、撮影状態に問題が無かった場合、または撮影状態を許容できた場合などに、ユーザーは、「本撮影画像保存」を選択して、その処理を電子カメラに指示する。また、本撮影画像の撮影状態を上記のようにして確認し、撮影状態に問題が有った場合、または撮影状態を許容できない場合などに、ユーザーは、「本撮影画像削除」を選択して、その処理を電子カメラに指示する。
【００９５】
このように、ユーザーは、ＬＣＤモニタ等に表示される「画像確認／処理指示画面」により、本撮影画像の撮影状態を確認することができ、また、撮影状態を確認した上で本撮影画像に対して行う今後の処理を電子カメラに指示することができる。
【００９６】
ステップ１０４：カメラ側マイコン２１は、ユーザーが「画像確認／処理指示画面」から行う指示の内容によって処理を分岐する。
【００９７】
具体的には、ユーザーが、例えば図３の画面イメージ例から「本撮影画像削除」を指示した場合、つまり上記の説明によれば、ユーザーにより、例えば図４の電子カメラのＣボタンが押下された場合、カメラ側マイコン２１は、ステップ１０５へ移行する。
【００９８】
また、ユーザーが、例えば図３の画面イメージ例から「ノイズ除去処理実施」を指示した場合、即ち、ユーザーにより、例えば図４の電子カメラのＡボタンが押下された場合、カメラ側マイコン２１は、ステップ１０７へ移行する。
【００９９】
そして、ユーザーが、例えば図３の画面イメージ例から「本撮影画像保存」を指示した場合、即ち、ユーザーにより、例えば図４の電子カメラのＢボタンが押下された場合、カメラ側マイコン２１は、ステップ１１３へ移行する。
【０１００】
ステップ１０５（指示：本撮影画像削除）：カメラ側マイコン２１は、モニタ３２の駆動を停止して、ＬＣＤモニタ等の表示を消灯する。
【０１０１】
ステップ１０６：カメラ側マイコン２１は、ＲＡＭ２５の本撮影画像を強制的に削除する。この削除の後、カメラ側マイコン２１は、ステップ１０１へ移行する。
【０１０２】
ステップ１０７（指示：ノイズ除去処理実施）：カメラ側マイコン２１は、モニタ３２の駆動を停止して、ＬＣＤモニタ等の表示を消灯する。
【０１０３】
ステップ１０８：カメラ側マイコン２１は、メカニカルシャッタ１９を全閉の状態のまま、撮像素子駆動部３１、Ａ／Ｄ変換部３０を駆動して、ダーク画像の取得を行う。このとき、撮像素子駆動部３１を介して駆動された撮像部１８が、ダーク画像のアナログ画像信号を生成する。そして、Ａ／Ｄ変換部３０が、生成された画像信号にアナログ信号処理を施して、その処理後のダーク画像のデータをＲＡＭ２５に出力する。このように、取得されたダーク画像は、ＲＡＭ２５に記録される。
【０１０４】
なお、このダーク画像の取得において、撮像部１８の露光時間は、本撮影画像を取得したときと同じ時間となるように制御される。例えば、本撮影画像を取得したときの露光時間が５秒であれば、ダーク画像取得の露光時間も５秒とし、本撮影画像を取得したときの露光時間が３０分（特に、天体撮影などの場合）であれば、ダーク画像取得の露光時間も３０分とするように制御される。
【０１０５】
但し、露光時間は同じであるが、ダーク画像を取得する際は、本撮影画像を取得したときとは異なりメカニカルシャッタ１９が閉じられているために、被写界光が撮像部１８の撮像面に入射することはない。これにより、ダーク画像には、本撮影画像に含まれるのと同じ量の撮像素子ノイズのみが含まれることとなる。
【０１０６】
また、ダーク画像の取得中には、例えば、「ＪＯＢ−ＮＲ」などの文字をＬＣＤモニタ等に点滅表示させて、ユーザーに、動作中であることを知らせるようにするとよい。特に、ダーク画像の取得に時間がかかる場合にこのような表示をすれば効果的である。
【０１０７】
ステップ１０９：カメラ側マイコン２１は、本撮影画像の画像信号から、ダーク画像の画像信号を減算する。これにより、本撮影画像に含まれる撮像素子ノイズが除去される。
【０１０８】
また、カメラ側マイコン２１は、画像処理部２９を駆動して、本撮影画像に対して輪郭強調やガンマ補正などの必要な画像処理を施す。
【０１０９】
ステップ１１０：カメラ側マイコン２１は、本撮影画像を記憶媒体３４へ記録する。
【０１１０】
ステップ１１１：カメラ側マイコン２１は、モニタ３２を駆動して、本撮影画像（撮像素子ノイズ除去済み）をＬＣＤモニタ等に表示する。表示イメージの一例を図５に示す。ユーザーは、この表示により、本撮影画像の最終的な出来映えを確認することができる。
【０１１１】
また、カメラ側マイコン２１は、ユーザー等により予め設定された時間（例えば「３秒」や「１分」など）が経過すると、ステップ１１２へ移行する。
【０１１２】
ステップ１１２：カメラ側マイコン２１は、モニタ３２の駆動を停止して、ＬＣＤモニタ等の表示を消灯する。そして、カメラ側マイコン２１は、ステップ１０１へ移行する。
【０１１３】
ステップ１１３（指示：本撮影画像保存）：カメラ側マイコン２１は、モニタ３２の駆動を停止して、ＬＣＤモニタ等の表示を消灯する。
【０１１４】
ステップ１１４：カメラ側マイコン２１は、画像処理部２９を駆動して、ＲＡＭ２５の本撮影画像に対して輪郭強調やガンマ補正などの必要な画像処理を施す。
【０１１５】
また、カメラ側マイコン２１は、本撮影画像を記憶媒体３４へ記録する。なお、ここで記録される本撮影画像には、撮像素子ノイズの除去処理は行われていない。
【０１１６】
ステップ１１５：カメラ側マイコン２１は、モニタ３２を駆動して、本撮影画像をＬＣＤモニタ等に表示する。ユーザーは、この表示により、本撮影画像の最終的な出来映えを確認することができる。
【０１１７】
また、カメラ側マイコン２１は、ユーザー等により予め設定された時間（例えば「３秒」や「１分」など）が経過すると、ステップ１１６へ移行する。
【０１１８】
ステップ１１６：カメラ側マイコン２１は、モニタ３２の駆動を停止して、ＬＣＤモニタ等の表示を消灯する。そして、カメラ側マイコン２１は、ステップ１０１へ移行する。
【０１１９】
（第１実施形態の作用効果）
以上、第１実施形態の電子カメラでは、本撮影により本撮影画像が取得された後、かつダーク画像の取得を行う前に、「画像確認／処理指示画面」の表示が行われる。なお、この画面によりユーザーは、本撮影画像について、撮像素子ノイズの発生具合、構図、ピントの具合、ブレの有／無などの撮影状態を確認することができる。また、この画面によりユーザーは、本撮影画像に対して行う今後の処理を電子カメラに指示することができる。
【０１２０】
従って、第１実施形態の電子カメラでは、ユーザーは、本撮影画像の撮影状態を確認した上で、必要な場合にのみ撮像素子ノイズの除去処理を電子カメラに行わせることができるので、本撮影画像の撮像素子ノイズの除去を効率良く行うことができる。
【０１２１】
また、第１実施形態の電子カメラでは、「画像確認／処理指示画面」からユーザーが「本撮影画像削除」の指示を行った場合、本撮影により取得された本撮影画像が撮像素子ノイズの除去処理が行われることなく強制的に削除される。
【０１２２】
従って、第１実施形態の電子カメラでは、ユーザーは、構図、ピントの具合、ブレの有／無などの本撮影画像の撮影状態を許容できない場合に、不要な本撮影画像を削除することができる。このため、第１実施形態の電子カメラでは、電子カメラの記憶媒体などの資源を有効に利用することができる。また、本撮影画像を削除する場合は、ダーク画像の取得動作が省略されるので、第１実施形態の電子カメラでは、次の本撮影が行えるようになるまでの待ち時間がダーク画像の取得のために長くなることはない。さらに、本撮影画像を削除する場合は、撮像素子ノイズの除去処理も省略されるので、第１実施形態の電子カメラでは、ダーク画像の取得動作および撮像素子ノイズの除去処理を行う分の電子カメラの負荷を軽減することができる。
【０１２３】
また、第１実施形態の電子カメラでは、「画像確認／処理指示画面」からユーザーが「本撮影画像保存」の指示を行った場合、撮像素子ノイズの除去処理が行われることなく、本撮影画像が記憶媒体へ記録される。この場合には、ダーク画像の取得動作も行われない。
【０１２４】
従って、第１実施形態の電子カメラでは、ユーザーは、本撮影画像の撮像素子ノイズの発生具合からその除去処理が不要であると判断した場合に、ダーク画像の取得動作および撮像素子ノイズの除去処理を省略することができる。このため、第１実施形態の電子カメラでは、次の本撮影が行えるようになるまでの待ち時間がダーク画像の取得のために長くなることはなく、また、ダーク画像の取得動作および撮像素子ノイズの除去処理が省略されたぶん電子カメラの負荷を軽減することができる。
【０１２５】
また、第１実施形態の電子カメラでは、「画像確認／処理指示画面」からユーザーが「ノイズ除去処理実施」の指示を行った場合、ダーク画像が取得されると共に、そのダーク画像を使用して本撮影画像から撮像素子ノイズが除去される。この場合、本撮影画像の撮影後に、その撮像素子ノイズの除去に使用するダーク画像が取得されるので、ダーク画像は、本撮影画像が撮影されたのと同じ条件で取得されたものとなる。
【０１２６】
従って、第１実施形態の電子カメラでは、本撮影画像の撮像素子ノイズを高精度に除去することができる。
【０１２７】
また、第１実施形態の電子カメラでは、「画像確認／処理指示画面」からユーザーが「ノイズ除去処理実施」の指示を行った場合、ダーク画像が取得されると共に、そのダーク画像を使用して本撮影画像から撮像素子ノイズが除去される。この場合、先に実施した本撮影に続けて、本撮影画像の撮像素子ノイズの除去処理が行われる。
【０１２８】
従って、第１実施形態の電子カメラでは、本撮影画像の撮像素子ノイズの除去を効率良く行うことができ、また、撮像素子ノイズが除去された良好な本撮影画像を確実に得ることができる。
【０１２９】
したがって、第１実施形態の電子カメラによれば、本撮影画像に含まれる撮像素子ノイズの除去を、確実、かつ高精度に、そして効率的に行うことができる。
【０１３０】
（第２実施形態）
以下、本発明の第２実施形態を説明する。第２実施形態も、一眼レフレックス型電子カメラの実施形態である。なお、以下の説明では、第１実施形態と共通する電子カメラの構成要素については同一符号を付して重複説明を省略する。
【０１３１】
以下、第２実施形態の電子カメラにおける撮像素子ノイズの除去処理の動作を、図６の流れ図を参照して説明する。図６のフローチャートは、例えば、ユーザーが電子カメラのモードを「撮像素子ノイズ除去モード」に設定して撮影を行った場合に実行される。なお、第１実施形態では、撮像素子ノイズ除去モードで撮影を行った場合、本撮影画像を取得後、かつダーク画像の取得を行う前に、「画像確認／処理指示画面」を表示して、ユーザーに、本撮影画像の撮影状態を確認させ、本撮影画像に対する以降の処理を指示させる。しかし、第２実施形態では、撮像素子ノイズ除去モードで撮影を行った場合、本撮影画像を取得した後に、続けて、ダーク画像の取得を行う。
【０１３２】
ステップ２０１：カメラ側マイコン２１は、ユーザーによりレリーズ釦が全押しされたか否かを判定し、全押しされた場合は本撮影を行うためにステップ２０２へ移行する（Ｙｅｓ側）。一方、全押しされていない場合には、カメラ側マイコン２１は本ステップ２０１の処理を繰り返す（Ｎｏ側）。
【０１３３】
ステップ２０２：カメラ側マイコン２１は、自動露出により決定またはユーザーにより設定された撮影条件（ストロボ発光の有無、絞り値、シャッター速度など）の下で本撮影を実施する。なお、本撮影により取得された本撮影画像は、ＲＡＭ２５に記録される。
【０１３４】
ステップ２０３：カメラ側マイコン２１は、メカニカルシャッタ１９を全閉の状態のまま、撮像素子駆動部３１、Ａ／Ｄ変換部３０を駆動して、ダーク画像の取得を行う。このとき、撮像素子駆動部３１を介して駆動された撮像部１８が、ダーク画像のアナログ画像信号を生成する。そして、Ａ／Ｄ変換部３０が、生成された画像信号にアナログ信号処理を施して、その処理後のダーク画像のデータをＲＡＭ２５に出力する。
【０１３５】
なお、このダーク画像の取得において、撮像部１８の露光時間は、本撮影画像を取得したときと同じ時間となるように制御される。但し、露光時間は同じであるが、ダーク画像を取得する際は、本撮影画像を取得したときとは異なりメカニカルシャッタ１９が閉じられているために、被写界光が撮像部１８の撮像面に入射することはない。これにより、ダーク画像には、本撮影画像に含まれるのと同じ量の撮像素子ノイズのみが含まれることとなる。
【０１３６】
また、ダーク画像の取得中には、例えば、「ＪＯＢ−ＮＲ」などの文字をＬＣＤモニタ等に点滅表示させて、ユーザーに、動作中であることを知らせるようにするとよい。
【０１３７】
ところで、本ステップ２０３の処理によりダーク画像の取得の動作が行われている間に、ユーザーが電子カメラに対して割り込みを要求した場合には、後述の割込ルーチン（図６のステップ２１０〜２２０のフロー）の処理が実行されるようになっている。
【０１３８】
具体的には、ダーク画像の取得の動作が行われている間に、ユーザーが、例えば、電子カメラ筐体の背面左上部分に設けられたＩボタン（図４）を押下した場合には、カメラ側マイコン２１は、ステップ２１０へ移行する。なお、この移行により割込ルーチン（ステップ２１０〜２２０）が実行されても、撮像素子駆動部３１およびＡ／Ｄ変換部３０は駆動されているため、割込ルーチンの処理と並行してダーク画像の取得の動作が継続される。
【０１３９】
一方、割り込みの要求が行われない場合、カメラ側マイコン２１は、ダーク画像の取得が完了した後にステップ２０４へ移行する。なお、取得されたダーク画像は、ＲＡＭ２５に記録される。
【０１４０】
ステップ２０４：カメラ側マイコン２１は、本撮影画像の画像信号から、ダーク画像の画像信号を減算する。これにより、本撮影画像に含まれる撮像素子ノイズが除去される。
【０１４１】
また、カメラ側マイコン２１は、画像処理部２９を駆動して、本撮影画像に対して輪郭強調やガンマ補正などの必要な画像処理を施す。
【０１４２】
ステップ２０５：カメラ側マイコン２１は、本撮影画像を記憶媒体３４へ記録する。
【０１４３】
ステップ２０６：カメラ側マイコン２１は、モニタ３２を駆動して、本撮影画像（撮像素子ノイズ除去済み）をＬＣＤモニタ等に表示する。表示イメージの一例を図５に示す。ユーザーは、この表示により、本撮影画像の最終的な出来映えを確認することができる。
【０１４４】
また、カメラ側マイコン２１は、ユーザー等により予め設定された時間（例えば「３秒」や「１分」など）が経過すると、ステップ２０７へ移行する。
【０１４５】
ステップ２０７：カメラ側マイコン２１は、モニタ３２の駆動を停止して、ＬＣＤモニタ等の表示を消灯する。そして、カメラ側マイコン２１は、ステップ２０１へ移行する。
【０１４６】
（割込ルーチン）
ステップ２１０：カメラ側マイコン２１は、モニタ３２を駆動して、「画像確認／処理指示画面」をＬＣＤモニタ等に表示する。なお、「画像確認／処理指示画面」の機能や操作方法については、第１実施形態で説明したとおりである。
【０１４７】
ステップ２１１：カメラ側マイコン２１は、ユーザーが「画像確認／処理指示画面」から行う指示の内容によって処理を分岐する。
【０１４８】
具体的には、ユーザーが、例えば図３の画面イメージ例から「ノイズ除去処理実施」を指示した場合、つまり上述の説明によれば、ユーザーにより、例えば図４の電子カメラのＡボタンが押下された場合、カメラ側マイコン２１は、ステップ２１２へ移行する。
【０１４９】
また、ユーザーが、例えば図３の画面イメージ例から「本撮影画像削除」を指示した場合、即ち、ユーザーにより、例えば図４の電子カメラのＣボタンが押下された場合、カメラ側マイコン２１は、ステップ２１３へ移行する。
【０１５０】
そして、ユーザーが、例えば図３の画面イメージ例から「本撮影画像保存」を指示した場合、即ち、ユーザーにより、例えば図４の電子カメラのＢボタンが押下された場合、カメラ側マイコン２１は、ステップ２１６へ移行する。
【０１５１】
ステップ２１２（指示：ノイズ除去処理実施）：カメラ側マイコン２１は、モニタ３２の駆動を停止して、ＬＣＤモニタ等の表示を消灯する。そして、カメラ側マイコン２１は、ステップ２０３の処理の中断点再開を行うために復帰を行う。
【０１５２】
ステップ２１３（指示：本撮影画像削除）：カメラ側マイコン２１は、モニタ３２の駆動を停止して、ＬＣＤモニタ等の表示を消灯する。
【０１５３】
ステップ２１４：カメラ側マイコン２１は、ダーク画像の取得を中止するために、撮像素子駆動部３１およびＡ／Ｄ変換部３０の駆動を停止する。また、カメラ側マイコン２１は、ダーク画像がＲＡＭ２５に記録されていれば、それを削除する。
【０１５４】
ステップ２１５：カメラ側マイコン２１は、ＲＡＭ２５の本撮影画像を強制的に削除する。この削除の後、カメラ側マイコン２１は、ステップ２０１へ移行する。
【０１５５】
ステップ２１６（指示：本撮影画像保存）：カメラ側マイコン２１は、モニタ３２の駆動を停止して、ＬＣＤモニタ等の表示を消灯する。
【０１５６】
ステップ２１７：カメラ側マイコン２１は、ダーク画像の取得を中止するために、撮像素子駆動部３１およびＡ／Ｄ変換部３０の駆動を停止する。また、カメラ側マイコン２１は、ダーク画像がＲＡＭ２５に記録されていれば、それを削除する。
【０１５７】
ステップ２１８：カメラ側マイコン２１は、画像処理部２９を駆動して、ＲＡＭ２５の本撮影画像に対して輪郭強調やガンマ補正などの必要な画像処理を施す。
【０１５８】
また、カメラ側マイコン２１は、本撮影画像を記憶媒体３４へ記録する。なお、ここで記録される本撮影画像には、撮像素子ノイズの除去処理は行われていない。
【０１５９】
ステップ２１９：カメラ側マイコン２１は、モニタ３２を駆動して、本撮影画像をＬＣＤモニタ等に表示する。ユーザーは、この表示により、本撮影画像の最終的な出来映えを確認することができる。
【０１６０】
また、カメラ側マイコン２１は、ユーザー等により予め設定された時間（例えば「３秒」や「１分」など）が経過すると、ステップ２２０へ移行する。
【０１６１】
ステップ２２０：カメラ側マイコン２１は、モニタ３２の駆動を停止して、ＬＣＤモニタ等の表示を消灯する。そして、カメラ側マイコン２１は、ステップ２０１へ移行する。
【０１６２】
（第２実施形態の作用効果）
以上、第２実施形態の電子カメラでは、本撮影により本撮影画像が取得された後に、続けてダーク画像を取得するための動作が行われる。そして、その動作中に、ユーザーが電子カメラに対して割り込みを指示した場合には、「画像確認／処理指示画面」の表示が行われる。なお、この画面によりユーザーは、本撮影画像の撮影状態を確認することができ、また本撮影画像に対して行う今後の処理を電子カメラに指示することができる。
【０１６３】
従って、第２実施形態の電子カメラでは、ユーザーは、本撮影画像の撮影状態を確認した上で、撮像素子ノイズの除去処理が不要であると判断した場合に、その除去処理を電子カメラに行わせないようにすることができるので、本撮影画像の撮像素子ノイズの除去を効率良く行うことができる。
【０１６４】
また、第２実施形態の電子カメラでは、「画像確認／処理指示画面」を通してユーザーが行う本撮影画像の撮影状態の確認および今後の処理の指示に係る動作は、ダーク画像の取得に係る動作と並行して行われる。
【０１６５】
従って、第２実施形態の電子カメラでは、「画像確認／処理指示画面」に係る動作とダーク画像の取得に係る動作とを並行させて効率的に行わせることができるため、第１実施形態の電子カメラに比べて、それらの動作に要する電子カメラの処理時間を総合的に短縮することができる。
【０１６６】
また、第２実施形態の電子カメラでは、「画像確認／処理指示画面」からユーザーが「本撮影画像削除」の指示を行った場合、本撮影により取得された本撮影画像が撮像素子ノイズの除去処理が行われることなく強制的に削除される。
【０１６７】
従って、第２実施形態の電子カメラでは、ユーザーは、構図、ピントの具合、ブレの有／無などの本撮影画像の撮影状態を許容できない場合に、不要な本撮影画像を削除することができる。このため、第２実施形態の電子カメラでは、電子カメラの記憶媒体などの資源を有効に利用することができる。また、本撮影画像を削除する場合は、撮像素子ノイズの除去処理が省略されるので、第２実施形態の電子カメラでは、それを行う分の電子カメラの負荷を軽減することができる。さらに、本撮影画像を削除する場合は、ダーク画像の取得動作が途中で中止されるので、第２実施形態の電子カメラでは、次の本撮影が行えるようになるまでの待ち時間を、露光時間の残りの分短縮することができる。例えば、露光時間が５分であった場合、次の本撮影が行えるようになるまでの待ち時間は少なくとも５分となるが、１分経過したときにダーク画像の取得動作が中止されると、待ち時間は少なくとも１分となり、当初の待ち時間を４分程度短縮することができる。特に、ダーク画像の取得のために長秒時露光を行う場合（例えば、天体撮影を行う場合で３０分など）には、待ち時間を大幅に短縮することができる。
【０１６８】
また、第２実施形態の電子カメラでは、「画像確認／処理指示画面」からユーザーが「本撮影画像保存」の指示を行った場合、撮像素子ノイズの除去処理が行われることなく、本撮影画像が記憶媒体へ記録される。
【０１６９】
従って、第２実施形態の電子カメラでは、ユーザーは、本撮影画像の撮像素子ノイズの発生具合からその除去処理が不要であると判断した場合に、その除去処理を省略することができる。このため、第２実施形態の電子カメラでは、撮像素子ノイズの除去処理を行う分の電子カメラの負荷を軽減することができる。また、本撮影画像を保存する場合は、ダーク画像の取得動作が途中で中止されるので、第２実施形態の電子カメラでは、次の本撮影が行えるようになるまでの待ち時間を、露光時間の残りの分短縮することができる。
【０１７０】
また、第２実施形態の電子カメラでは、本撮影画像の撮影後に、その撮像素子ノイズの除去に使用するダーク画像が取得されるので、ダーク画像は、本撮影画像が撮影されたのと同じ条件で取得されたものとなる。
【０１７１】
従って、第２実施形態の電子カメラでは、本撮影画像の撮像素子ノイズを高精度に除去することができる。
【０１７２】
また、第２実施形態の電子カメラでは、「画像確認／処理指示画面」からユーザーが「ノイズ除去処理実施」の指示を行った場合、並行して取得されるダーク画像を使用して本撮影画像から撮像素子ノイズが除去される。この場合、先に実施した本撮影に続けて、本撮影画像の撮像素子ノイズの除去処理が行われる。
【０１７３】
従って、第２実施形態の電子カメラでは、本撮影画像の撮像素子ノイズの除去を効率良く行うことができ、また、撮像素子ノイズが除去された良好な本撮影画像を確実に得ることができる。
【０１７４】
したがって、第２実施形態の電子カメラによれば、本撮影画像に含まれる撮像素子ノイズの除去を、確実、かつ高精度に、そして効率的に行うことができる。
【０１７５】
（その他）
なお、本発明は、上述した一眼レフレックス型の電子カメラだけでなく、コンパクト型の電子カメラにも適用することができる。
【図面の簡単な説明】
【０１７６】
【図１】本発明を適用した一眼レフレックス型電子カメラの構成図である。
【図２】第１実施形態における撮像素子ノイズの除去処理の動作を示す流れ図である。
【図３】画像確認／処理指示画面の画面イメージの例を示す図である。
【図４】電子カメラに設けられた操作釦の例を示す図である。
【図５】本撮影画像の表示イメージの例を示す図である。
【図６】第２実施形態における撮像素子ノイズの除去処理の動作を示す流れ図である。
【図７】画像から撮像素子ノイズを除去する最も一般的な手法の流れ図である。
【符号の説明】
【０１７７】
１…カメラ本体，２…レンズユニット，３…撮影レンズ，４…レンズ駆動部，５…距離検出部，６…絞り制御部，７…絞り，８…レンズ側マイコン，９…マウント，１０…マウント，１１…電気接点，１２…クイックリターンミラー，１３…拡散スクリーン（焦点板），１４…ペンタプリズム，１５…接眼レンズ，１６…測光用再結像レンズ，１７…測光用画像取得部，１８…撮像部，１９…メカニカルシャッタ，２０…サブミラー，２１…カメラ側マイコン，２２…焦点検出部，２３…シャッタ制御部，２４…ＲＯＭ，２５…ＲＡＭ，２６…記録インターフェース（記録Ｉ／Ｆ），２７…Ａ／Ｄ変換部，２８…撮像素子駆動部，２９…画像処理部，３０…Ａ／Ｄ変換部，３１…撮像素子駆動部，３２…モニタ，３３…システムバス，３４…記憶媒体
【図１】
2010021834.tif 000003
【図２】
2010021834.tif 000004
【図３】
2010021834.tif 000005
【図４】
2010021834.tif 000006
【図５】
2010021834.tif 000007
【図６】
2010021834.tif 000008
【図７】
2010021834.tif 000009